(57)【要約】【課題】連続処理するウエット処理装置の回路配線板表面の薬液の液切りとリンス液の液置換をする装置において、装置を搬送中、回路配線板の表面は乾燥せず、液切りローラーの表面に薬液が固着せず、表面に付着した薬液を短時間でリンス液に置換をする液切りと液置換装置を提供する。【解決手段】薬液処理槽に設置した第１の液切りローラーに薬液を滴下する第１の噴射口及びその噴射手段と、リンス槽に設置した第２の液切りローラーにリンス液を滴下する第２の噴射口及びその噴射手段と、第１及び第２の液切りローラーの中心軸よりも上流側の位置に薬液を滴下するように設置され、第１の液切りローラーの直後に設置し、スリット状の第３の噴射口及びその噴射手段と、回路配線板の搬送方向の下流方向に表面に沿って、リンス液を噴射するように設置するウエット処理装置の液切りと液置換装置。【選択図】図１
2004241544.tif 000002
【特許請求の範囲】
【請求項１】
回路配線板を連続処理するウエット処理装置の薬液処理槽とそれに続くリンス槽の間に設けた、回路配線板の表面に付着している薬液滴を除去して回路配線板表面の薬液の液切りとリンス液に液置換をする装置において、回路配線板を連続して水平搬送する搬送系と、薬液処理槽とこれに続いて設けられたリンス槽と、薬液処理槽に設置した回路配線板を挟み込む上下１組の第１の液切りローラーと、第１の液切りローラーに薬液を滴下する第１の噴射口及びその噴射手段と、リンス槽に設置した回路配線板を挟み込む上下１組の第２の液切りローラーと、第２の液切りローラーにリンス液を滴下する第２の噴射口及びその噴射手段と、第１の液切りローラーの下流に、スリット状の第３の噴射口及びその噴射手段とを有することを特徴とするウエット処理装置の液切りと液置換装置。
【請求項２】
第１の液切りローラーに薬液を滴下する前記第１の噴射口が、液切りローラーの中心軸よりも上流側の位置に薬液を滴下するように設置されていることを特徴とする請求項１記載のウエット処理装置の液切りと液置換装置。
【請求項３】
第２の液切りローラーにリンス液を滴下する前記第２の噴射口が、液切りローラーの中心軸よりも上流側の位置にリンス液を滴下するように設置されていることを特徴とする請求項１、又は２項記載のウエット処理装置の液切りと液置換装置。
【請求項４】
スリット状の前記第３の噴射口が、第１の液切りローラーの直後に設置し、回路配線板の搬送方向の下流方向に向き、第１の液切りローラーから出た回路配線板の表面に対し、第３の噴射口から噴射手段によって、回路配線板に沿って、下流方向にリンス液を噴射するように設置されていることを特徴とする請求項１乃至３項のいずれか１項記載のウエット処理装置の液切りと液置換装置。
【発明の詳細な説明】
【０００１】
【発明の属する技術分野】
本発明は、回路配線板の液切りと液置換装置に関し、特に、半導体素子を搭載する回路配線板、半導体パッケージの製造装置に用いるウエット処理装置の液切りと液置換装置に関する。
【０００２】
【従来の技術】
最近、電子機器の小型化、軽量化、高密度化の進展は著しく、例えば携帯電話器やパソコン等は、一段と小型化、軽量化、高密度化される状況にある。そして、この電子機器の重要な電子部品たる回路配線板も、このような状況に鑑み、最近一段と極薄化や高密度化が進みつつある。このような回路配線板の表面に形成される回路の高密度化、微細化、高精度化の進展も著しい。
【０００３】
ところで、このような回路配線板は、ビア用の穴あけ加工、デスミア処理、めっき、エッチングレジストの塗布・乾燥またはエッチングレジスト層の形成、露光、現像、エッチング、エッチングレジストの剥膜、等々の多くの工程を順次連続的に行うことにより製造される。更に、このような製造工程の一環をなす後処理工程として、形成された回路部分の保護被膜を形成すべく、ソルダーレジストの塗布・乾燥・またはソルダーレジスト層の形成、露光、現像後、端子部にニッケルめっき、金めっき等々の工程が施され、回路配線板が完成する。
【０００４】
例えば、このような回路配線板の現像、エッチング、剥膜等の各工程では、それぞれの薬液処理槽内において、回路配線板を搬送しつつ、現像液、腐食液、剥離液等の薬液がスプレーまたは浸漬により、化学処理又は薬液処理が行われる。化学処理又は薬液処理の各工程間には、リンス液である純水洗液をスプレーまたは浸漬する水洗処理や、最終水洗後の乾燥処理等が、各々工程の専用の処理槽内にて実施されている。
【０００５】
このような現像、エッチング、剥離などの各工程では、それぞれの薬液処理槽内で専用の薬液がスプレーまたは浸漬される関係上、各工程の薬液処理槽間には液切り槽が必要となると共に、この液切り槽に液切り装置が設置されている。
【０００６】
液切りは、液切りローラーによる液切り装置が知られている。この液切り装置は、上下１組の液切りローラーより形成する構造となっている（特許文献１参照）。
【０００７】
図５は、従来の液切り装置で、液切りローラーを用いた事例の側面図である。
例えば、図５に示すように、前工程の薬液処理槽内で薬液に（スプレーまたは）浸漬された回路配線板は、水平姿勢のまま、この薬液処理槽１の出口（第１の堰き止めローラー２１）から排出された後、液切り装置の上下の液切りローラー１１間に挟み込まれて送られることにより、付着した薬液が除去され、次の工程の薬液処理槽にその入口（第２の堰き止めローラー２２）から搬入された後、別の異なる種類の（薬液や）リンス槽２内のリンス液が、（スプレーまたは）浸漬されるようになっている。
【０００８】
また、上下１組のエアーナイフによる液切り装置が知られている。この液切り装置は、上下１組のエアーナイフによる液切り装置よりなっていた（特許文献２参照）。
【０００９】
図６は、従来の液切り装置で、エアーナイフを用いた事例の側面図である。例えば、図６に示すように、前工程の薬液処理槽内で薬液に（スプレーまたは）浸漬された回路配線板は、水平姿勢のまま、この薬液処理槽１の出口（第１の堰き止めローラー２１）から排出された後、液切り装置の上下のエアーナイフ１０間に挟み込まれて送られることにより、付着した薬液が除去され、次の工程の薬液処理槽にその入口（第２の堰き止めローラー２２）から搬入された後、別の異なる種類の（薬液や）リンス槽２内のリンス液が、（スプレーまたは）浸漬されるようになっている。
【００１０】
これらように、液切り装置の液切りローラー間やエアーナイフ間を通過することにより、前工程の薬液処理槽で回路配線板にスプレーまたは浸漬されていた薬液が液切り除去されるようになっている。
【００１１】
その結果、薬液が、次の工程の薬液処理槽やリンス槽へと持ち出されることは防止され、次のリンス槽へと流れ込み、飛散し混じり合うことが回避されるようになっている。
【００１２】
回路配線板は、前述したように回路配線板の表面に形成される回路の高密度化、微細化、高精度化が最近急速に進展している。高精細な回路配線板では、回路配線パターンの配線とその隙間がより狭くなっている。また、銅箔の厚みが薄くなり、薬液による処理時間が短くなるとともに、薬液による処理時間の制御が重要になっている。そのため、配線パターンの微細化の対応は、薬液による反応を急激に終了させる等の工夫や、又はウエット処理装置のライン長の短縮化による搬送速度を低下させるときは、薬液処理槽間の液切りと液置換装置を工夫することで解決している。
【００１３】
しかしながら、高精細な回路配線板の従来例にあっては、次の問題が指摘されている。回路配線板の製造工程において、このような高精細な回路配線板が、エアーナイフ方式で気体を噴射する液切り装置を通過する際に、回路配線板の表面の薬液は、上下１組以上のエアーナイフから噴出する乾燥空気により、搬送方向下流から上流の薬液処理槽に向かって、上流に押し返すように吹き飛ばされたり、または一部の薬液は基板表面を伝いながら吹き飛ばされ液切りが行われる。すなわち、回路配線板上より均一に液切りされずに周囲の汚染物と薬液そのものの成分が凝集されながら基板表面を流れて液切りされるのでシミの原因となる。
【００１４】
エアーナイフ通過後の回路配線板の表面が乾燥する際に、微細な回路パターンの凹凸がある回路配線板の表面の液切りでは、回路配線の凹部や、配線境界部などの回路配線板表面の一部に薬液が付着して残り、乾燥することで、固着してしまうことがある。いったん固着した薬液は、リンス液による洗浄においても、溶解し、洗い流すのに時間を要するため、洗浄不良の原因になっている。また、エアーナイフで吹き飛ばされた薬液が、飛散し、再び、回路配線板の表面に再付着し、シミの原因となっていた。さらに、洗浄不良は、回路パターンの欠陥も引き起こす原因となっている。
【００１５】
また、液切りローラー方式の液切り装置を通過する際に、回路配線板の表面と液切りローラー表面が接触することによって、回路配線板の表面に連続的なキズが発生する原因になっている。つまり、液切りローラーが、回路配線板を挟んでいる場合には、薬液が、回路配線板を伝わり、液切りローラーに供給される。回路配線板の表面の薬液は、経時により凝集して液切りローラーに転移付着する。
液切りローラーが回路配線板を挟んでいない場合には、液切りローラーには、薬液が伝わらない。液切りローラーに付着した薬液は、液切りローラーの表面で、乾燥し、凝集し固着する。この結果、液切りローラーの表面に薬液が固着した突起が形成され、キズが発生する原因になっている。
【００１６】
ところで、薬液処理槽から搬出されてから、リンス液による洗浄までの液切り装置内での回路配線板では、回路配線板の一部表面に残った薬液による化学反応が継続して進行する。薬液処理時間のばらつきによる精度低下によって、高精細な回路を得ることができない。また、回路配線板の表面にシミやムラの発生する原因になっている。
【００１７】
したがって、薬液処理槽から出た回路配線板の表面に付着した薬液は、処理槽を出た直後に短時間で、純水等のリンス液で薬液を置換することで、回路配線板の表面処理反応を確実に終了させる必要がある。
【００１８】
さらに配線パターンの微細化において、ウエット処理装置の搬送速度の低速化に対しては、相対的に、薬液処理槽と次の薬液処理槽まで搬送に要する時間が長くなるため、回路配線板の表面が乾燥しやすくなる。また、回路配線板が大気に暴露している時間が長くなるため、回路配線板表面の酸化等の問題が発生する。
【００１９】
また、薬液の温度が高温処理の場合には、回路配線基板の表面に付着した薬液が短時間に、蒸発して、凝集して、乾燥して、回路配線板の表面に付着する。したがって、液切りによる回路配線板の乾燥を防ぐために、搬送速度を下げられない問題があった。
【００２０】
【特許文献１】
特願平１０−８０１７６号公報
【特許文献２】
特開平７−３０２７７９号公報
【００２１】
【発明が解決しようとする課題】
本発明は、上記した問題点などに鑑みなされたものであって、その目的とするところは、第１に、回路配線板は、薬液処理槽を出てから、リンス槽に入るまでの液切り液置換装置を搬送する間で、表面の乾燥を防止することができる回路配線板の液切りと液置換装置を提供することである。
【００２２】
第２に、液切りローラーの表面に固着した薬液が固着して、搬送中の回路配線板との接触することで発生する回路配線板表面上の連続的なキズを防止することができる回路配線板の液切りと液置換装置を提供することである。
【００２３】
第３に、薬液処理槽から出た回路配線板の表面に付着した薬液を短時間でリンス液に置換をすることができ、薬液による反応の終了時間のばらつきを少なくすることができる。したがって、回路配線板表面の一部に薬液の液切り残りによる薬液による化学反応の継続がなくなり、回路配線板表面のシミやムラの発生を防止することができ、高精細な配線パターンを形成することが可能となる回路配線板の液切りと液置換装置を提供することである。
【００２４】
第４に、回路配線板表面の乾燥を防ぐことができるため、ウエット装置の搬送速度を遅くすることが可能となり、装置の長さを搬送方向に短く、小型化することが可能となる、回路配線板の液切りと液置換装置を提供することである。
【００２５】
【課題を解決するための手段】
本発明の請求項１に係る発明は、回路配線板を連続処理するウエット処理装置の薬液処理槽とそれに続くリンス槽の間に設けた、回路配線板の表面に付着している薬液滴を除去して回路配線板表面の薬液の液切りとリンス液に液置換をする装置において、回路配線板を連続して水平搬送する搬送系と、薬液処理槽とこれに続いて設けられたリンス槽と、薬液処理槽に設置した回路配線板を挟み込む上下１組の第１の液切りローラーと、第１の液切りローラーに薬液を滴下する第１の噴射口及びその噴射手段と、リンス槽に設置した回路配線板を挟み込む上下１組の第２の液切りローラーと、第２の液切りローラーにリンス液を滴下する第２の噴射口及びその噴射手段と、第１の液切りローラーの下流に、スリット状の第３の噴射口及びその噴射手段とを有することを特徴とするウエット処理装置の液切りと液置換装置である。
【００２６】
請求項２に係る発明は、第１の液切りローラーに薬液を滴下する前記第１の噴射口が、液切りローラーの中心軸よりも上流側の位置に薬液を滴下するように設置されていることを特徴とする請求項１記載のウエット処理装置の液切りと液置換装置である。
【００２７】
請求項３に係る発明は、第２の液切りローラーにリンス液を滴下する前記第２の噴射口が、液切りローラーの中心軸よりも上流側の位置にリンス液を滴下するように設置されていることを特徴とする請求項１、又は２項記載のウエット処理装置の液切りと液置換装置である。
【００２８】
請求項４に係る発明は、スリット状の前記第３の噴射口が、第１の液切りローラーの直後に設置し、回路配線板の搬送方向の下流方向に向き、第１の液切りローラーから出た回路配線板の表面に対し、第３の噴射口から噴射手段によって、回路配線板に沿って、下流方向にリンス液を噴射するように設置されていることを特徴とする請求項１乃至３項のいずれか１項記載のウエット処理装置の液切りと液置換装置である。
【００２９】
【発明の実施の形態】
次に、本発明について図面を参照して詳細に説明する。
【００３０】
はじめに、本発明の第１の実施形態について説明する。図１および図２は、本発明の第１の実施形態であり、液切り液置換装置を連続したテープ状の回路配線板Ｗを搬送して適用した実施例を説明する図であり、図１は、図２の液切り液置換装置の液切り状態を示す拡大側面図である。
【００３１】
図１は、第１の実施形態の薬液処理槽１が浸漬処理の場合を示している。液切りローラー１１、および搬送ローラーは、横長状をなし、上下一組で構成され、図示していない駆動シャフトからギアによって駆動を得て、各上下のローラーが、回転し、回路配線板Ｗを水平搬送する。
【００３２】
薬液処理槽１の第１の堰き止め用ローラー２１は、上下組で構成され、薬液処理槽の出口に堰き止め用に設置している。堰き止め用ローラー２１と薬液処理槽のフレーム２３には、接触しないだけの隙間があり、その隙間から、回路配線板Ｗの表面に薬液が流れ出るようになっている。
【００３３】
薬液処理槽１から第１の液切りローラー１１までの間で、回路配線基板の表面は、薬液で濡れた状態になっていて、表面の乾燥が防止されている。第１の液切りローラー１１は、上下組で構成され、第１の液切り槽４に設置している。薬液処理された回路配線板Ｗを挟み込んで送り、回路配線板Ｗに付着していた薬液を除去する。
【００３４】
第１の噴射口１３は、薬液を第１の液切りローラー１１に滴下できるように設置されている。第１の噴射口１３は、第１液切りローラー１１の中心軸よりも上流側の位置に設置している。第１の液切りローラー１１に滴下した薬液は、第１の液切りローラー１１の回転によって、ローラーが噛み込まれる方向に流れ、液切りローラー１１と回路配線板Ｗが接触する部分で薬液が供給される。回路配線板Ｗの有無にかかわらず薬液が供給され、常に液切り第１の液切りローラー１１の表面の乾燥を防止することができる。
【００３５】
第３の噴射口１５は、第１の液切りローラー１１の直後に槽間フレーム３を挟んで設置する。第３の噴射口１５は、スリット状になっている。スリット状の噴射口１５は、回路配線板Ｗの搬送方向下流の方向に向き、第１の液切りローラー１１から出た回路配線板Ｗの表面に対し、噴射口１５から図示しない噴射手段によって、搬送方向下流に向かって、リンス液を回路配線板Ｗに噴射することで、第１の液切りローラー１１以降の回路配線板Ｗの表面に、リンス液を供給し、薬液とリンス液の液交換を行う。
【００３６】
第１の液切りローラー１１から第２の液切りローラー１２までの間で、回路配線基板の表面は、リンス液で濡れた状態になっていて、薬液からリンス液に置換されながら表面の乾燥が防止されている。第２の液切りローラー１２は、上下組で構成され、第２の液切り槽５に設置している。回路配線板Ｗを挟み込んで送り、リンス槽のリンス液が上流に流れ出すのを防止している。すなわち、第２の液切りローラー１２を境に上流側のリンス液と下流側のリンス液との混入を防止している。
【００３７】
第２の噴射口１４は、リンス液を第２の液切りローラー１２に滴下できるように設置されている。第２の噴射口１４は、第２の液切りローラー１２の中心軸よりも上流側の位置にしている。第２の液切りローラー１２に滴下したリンス液は、第２の液切りローラー１２の回転によって、ローラーが噛み込まれる方向に流れ、液切りローラー１２の回路配線板Ｗが接触する部分でリンス液が供給される。回路配線板Ｗの有無にかかわらず、常に第２の液切りローラー１２の表面の乾燥を防止することができる。
【００３８】
リンス槽の第２の堰き止め用ローラー２２は、上下組で構成され、リンス槽の入口に堰き止め用に設置している。堰き止め用ローラー２２とリンス槽のフレーム２４には、接触しないだけの隙間があり、その隙間から、回路配線板Ｗの表面にリンス液が流れ出るようになっている。第２の液切りローラー１２からリンス槽２までの間で、回路配線基板の表面は、リンス液で濡れた状態になっていて、表面の乾燥が防止されている。
【００３９】
次に、本発明の第２の実施形態について説明する。図３および図４は、本発明の第２の実施形態であり、液切り液置換装置を連続したテープ状の回路配線板を搬送して適用した実施例を説明する図であり、図３は、図４の液切り液置換装置の液切り状態を示す拡大側面である。本発明の第２の実施形態は、薬液処理槽１がスプレー処理の場合を示している。
【００４０】
図３は、液切りローラー１１、１２、および、搬送ローラー３１ｂ、３１ａ、と３２ａ、３２ｂは、横長状をなし、上下一組で構成され、図示していない駆動シャフトからギアによって駆動を得て、各上下のローラーが、回転し、回路配線板Ｗを水平搬送する。
【００４１】
薬液処理槽１の第１の液切りローラー１１まで、回路配線基板Ｗの表面は、薬液で濡れた状態になっていて、表面の乾燥が防止されている。
【００４２】
第１の液切りローラー１１は、上下組で構成され、薬液処理槽に設置している。薬液処理された回路配線板Ｗを挟み込んで送り、回路配線板Ｗに付着していた薬液を除去する。
【００４３】
図４に示すように、第１の噴射口１３、１３ａ、１３ｂは、薬液を第１の液切りローラー１１、および、搬送用ローラー３１ａ、３１ｂに滴下できるように設置されている。第１の噴射口１３、１３ａ、１３ｂは、第１液の切りローラー１１、および、搬送ローラー３１ａ、３２ｂの中心軸よりも上流側の位置に設置している。
【００４４】
第１の液切りローラー１１に滴下した薬液は、第１の液切りローラー１１の回転によって、ローラーが噛み込まれる方向に流れ、液切りローラー１１と回路配線板Ｗが接触する部分で薬液が供給される。回路配線板Ｗの有無にかかわらず薬液が供給され、常に第１の液切りローラー１１の表面の乾燥を防止することができる。
【００４５】
第３の噴射口１５は、第１の液切りローラー１１の直後に槽間フレーム３を挟んで設置する。第３の噴射口１５は、スリット状になっている。スリット状の噴射口１５は、回路配線板Ｗの搬送方向下流の方向に向き、第１の液切りローラー１１から出た回路配線板Ｗの表面に対し、噴射口１５から噴射手段によって、搬送方向下流に向かって、リンス液を回路配線板Ｗに噴射することで、第１の液切りローラー１１以降の回路配線板Ｗの表面に、リンス液を供給し、薬液とリンス液の液交換を行う。
【００４６】
第１の液切りローラー１１から第２の液切りローラー１２までの間で、回路配線基板の表面は、リンス液で濡れた状態になっていて、薬液からリンス液に置換されながら表面の乾燥が防止されている。第２の液切りローラー１２は、上下組で構成され、リンス槽に設置している。回路配線板Ｗを挟み込んで送り、リンス槽の薬液が上流に流れ出すのを防止している。すなわち、第２の液切りローラー１２を境に上流側のリンス液と下流側のリンス液との混入を防止している。
【００４７】
図４に示すように、第２の噴射口１４、１４ａ、１４ｂは、リンス液を第２の液切りローラー１２、および、搬送ローラー３２ａ、３２ｂに滴下できるように設置されている。第２の噴射口１４、１４ａ、１４ｂは、第２の液切りローラー１２、および、搬送ローラー３２ａ、３２ｂの中心軸よりも上流側の位置にしている。第２の液切りローラー１２に滴下したリンス液は、第２の液切りローラー１２の回転によって、ローラーが噛み込まれる方向に流れ、液切りローラー１２の回路配線板Ｗが接触する部分で薬液が供給される。回路配線板Ｗの有無にかかわらず、常に第２の液切りローラー１２の表面の乾燥を防止することができる。
【００４８】
リンス槽の第２の液切りローラー１２から以降で、回路配線基板Ｗの表面は、リンス液で濡れた状態になっていて、表面の乾燥が防止されている。
【００４９】
上記実施例１および２で示したとおり、本発明の液切りと液置換装置によって、回路配線板Ｗは、薬液処理槽１を出てから、リンス槽２に入るまで液切り液置換装置を搬送する間で、表面の乾燥を防止することができる。そのため、回路配線の凹部や、配線の境界部など、回路配線板Ｗ表面の一部に薬液が付着して残り、乾燥、固着することでおこる回路配線板Ｗ表面の洗浄不足を防止することが可能となる。
【００５０】
第１の液切りローラー１１、第２の液切りローラー１２、およびスプレー処理の場合の搬送ローラー３１ｂ、３１ａ、及び３２ａ、３２ｂに、それぞれ、薬液またはリンス液を供給するため、ローラー表面が乾燥し、固着することがない。
そのため、液切りローラーの表面には薬液が固着せず、搬送中の回路配線板Ｗと接触することで発生する回路配線板Ｗ表面上の連続的なキズを防止することができる。
【００５１】
また、薬液処理槽１から出て、リンス液で洗浄するまでの液切り装置内では、回路配線板Ｗの一部表面に残った薬液が直ぐにリンス液に置換され、その部分で化学反応が継続して進行しないため、薬液処理時間のはらつきによる精度低下を防止することができる。高精細な回路を得ることができ、回路配線板の表面にシミやムラの発生を防止することができる。
【００５２】
薬液処理槽から出た回路配線板の表面に付着した薬液は、処理槽を出た直後に短時間で純水等のリンス液で薬液を置換することで回路配線板の表面処理反応を確実に終了させることができる。
【００５３】
本発明の（液切り）液置換装置によって、第１の液切りローラー１１と第３の噴射口１５の距離は、最短になるように設置されている。第３の噴射口１５からリンス液を噴出させることで、薬液処理槽１から出た直後で、回路配線板Ｗの表面に付着した薬液をリンス液に置換をすることができ、薬液による回路配線板Ｗの化学反応を終了させることができる。よって、化学反応の終了時間のばらつきを少なくすることができ、高品質、高精細な配線パターンを形成することが可能となる。
【００５４】
さらに、ウエット処理装置の搬送速度を遅くする場合には、相対的に、薬液処理槽１と次のリンス槽２までの搬送に要する時間が長くなる。本発明の液切りと液置換装置のため、回路配線板Ｗの表面がたえず濡れているため、回路配線板Ｗの表面が大気に暴露しない。その結果、回路配線板表面の薬液の乾燥による固着や、酸化等の問題が発生せず、さらに、薬液温度が高温で処理する場合でも、回路配線基板の表面に薬液が固着する問題が発生しない。
【００５５】
本発明の液切りと液置換装置によって、回路配線板Ｗの乾燥を防ぐことができるため、ウエット装置の搬送速度を遅くすることが可能となり、装置の長さを搬送方向に短く、小型化することができる。
【００５６】
【発明の効果】
上記実施例で示したとおり、本発明によって、第１に、回路配線板は、薬液処理槽を出てから、リンス槽に入るまでの液切り液置換装置を搬送する間で、回路配線板の表面の乾燥を防止することができる。そのため、回路配線の凹部や、配線の境界部など、回路配線板表面の一部に薬液が付着して残り、乾燥、固着することでおこる回路配線板表面の洗浄不良による回路パターンの欠陥を起こす原因を防止することができる。
【００５７】
第２に、液切りローラーに、それぞれ、薬液またはリンス液を供給するため、液切りローラーの表面は常に濡れていて乾燥することがなく、液切りローラーの表面に固着した薬液が固着して、搬送中の回路配線板との接触することで発生する回路配線板表面上の連続的なキズを防止することができる。
【００５８】
第３に、第１の液切りローラーの直後に、第３の噴射口からリンス液を噴出させることで、薬液処理槽から出た回路配線板の表面に付着した薬液を短時間でリンス液に置換をすることができる。そのため、薬液による回路配線板の表面処理反応を、第１の液切りローラーの出口で、終了させることができ、薬液によるの反応の終了時間のばらつきを少なくすることができる。したがって、回路配線板表面の一部に薬液の液切り残りによる薬液による化学反応の継続がなくなり、回路配線板表面のシミやムラの発生を防止することができ、高精細な配線パターンを形成することができる。
【００５９】
第４に、回路配線板表面の乾燥を防ぐことができるため、ウエット装置の搬送速度を遅くすることが可能となり、装置の長さを搬送方向に短く、小型化することができる。
【図面の簡単な説明】
【図１】本発明の第１の実施例である、浸漬方式のウエット装置の液切りと液置換装置の拡大側面図である。
【図２】図１の液切りと液置換装置の全体構造を示す側面図である。
【図３】本発明の第２の実施例である、スプレー方式のウエット装置の液切りと液置換装置の拡大側面図である。
【図４】図３の液切りと液置換装置の全体構造を示す側面図である。
【図５】従来の液切り装置で、液切りローラーを用いた事例の側面図である。
【図６】従来の液切り装置で、エアーナイフを用いた事例の側面図である。
【符号の説明】
Ｗ…回路配線板
１…薬液処理槽
２…リンス槽
３…槽間フレーム
４…第１の液切り槽
５…第２の液切り槽
６…液切り槽
１０…エアーナイフ
１１…第１の液切りローラー
１２…第２の液切りローラー
１３…第１の噴射口
１３ａ…第１の噴射口
１３ｂ…第１の噴射口
１４…第２の噴射口
１４ａ…第２の噴射口
１４ｂ…第２の噴射口
１５…第３の噴射口
２１…第１の堰き止めローラー
２２…第２の堰き止めローラー
２３…薬液槽フレーム
２４…リンス槽フレーム
３１ａ…搬送ローラー
３１ｂ…搬送ローラー
３２ａ…搬送ローラー
３２ｂ…搬送ローラー
３３ａ…薬液スプレー
３３ｂ…薬液スプレー
３４ａ…リンス液スプレー
３４ｂ…リンス液スプレー
【図１】
2004241544.tif 000003
【図２】
2004241544.tif 000004
【図３】
2004241544.tif 000005
【図４】
2004241544.tif 000006
【図５】
2004241544.tif 000007
【図６】
2004241544.tif 000008